(57)【要約】【課題】主に各種電子機器の操作に用いられるリモコン送受信装置に関し、誤操作がなく、確実な遠隔操作が可能なものを提供することを目的とする。【解決手段】リモコン送信機１６の制御手段１４が、操作手段２の操作に応じた操作コードを暗号コードに暗号化して、この暗号コードと暗号化内容を示す解析コードを送信し、リモコン受信機１９の制御手段１８が、これらの暗号コードと解析コードから操作コードを演算すると共に、これらの制御手段１４と１８を書換え可能に形成することによって、異なるリモコン送信機や異なる機器が遠隔操作されるといった誤操作がなく、確実な遠隔操作が可能なリモコン送受信装置を得ることができる。【選択図】図１
2010028702.tif 000002
【特許請求の範囲】
【請求項１】
操作手段の操作に応じた操作コードを制御手段が暗号コードに暗号化すると共に、この暗号コードと暗号化内容を示す解析コードを送信するリモコン送信機と、上記暗号コードと解析コードを受信し、これらから制御手段が操作コードを演算するリモコン受信機からなり、上記リモコン送信機とリモコン受信機の上記制御手段を書換え可能に形成したリモコン送受信装置。
【発明の詳細な説明】
【技術分野】
【０００１】
本発明は、主に各種電子機器の遠隔操作に用いられるリモコン送受信装置に関するものである。
【背景技術】
【０００２】
近年、屋外や屋内の離れた場所に設置された各種電子機器を、電波を用いたリモコン送受信装置によって遠隔操作することが広く行われており、離れた位置や遮蔽物があった場合でも確実な操作が可能なものが求められている。
【０００３】
このような従来のリモコン送受信装置について、図５及び図６を用いて説明する。
【０００４】
図５は従来のリモコン送受信装置の斜視図であり、同図において、１は略箱状で絶縁樹脂製のケースで、このケース１前面には、後方にスイッチ接点が設けられた複数の操作キーが前後動可能に突出して、操作手段２が形成されている。
【０００５】
そして、ケース１内には前後面に複数の配線パターンが形成された配線基板（図示せず）が収納され、この配線基板に実装されたアンテナ等によって送信手段３や、マイコン等の電子部品によって制御手段４が各々形成されて、リモコン送信機５が構成されている。
【０００６】
また、６は屋外に設置された給湯器等の電子機器で、この下方にはアンテナ等の受信手段７や、マイコン等の制御手段８から形成された、リモコン受信機９が収納されている。
【０００７】
さらに、このリモコン受信機９の前面には、後方にスイッチ接点が形成された操作キー等の操作手段１０が設けられ、このリモコン受信機９とリモコン送信機５によって、リモコン送受信装置が構成されている。
【０００８】
なお、このような電波を用いて遠隔操作を行うリモコン送受信装置の場合、室内に設置されたテレビやビデオ等の遠隔操作を行う、赤外線方式のもの等に比べ、通信範囲が広く電波が遠くまで届くため、意図しない他の機器が誤って操作されてしまう場合がある。
【０００９】
このため、使用前に所定の操作手段２や１０を操作して、所定の認証コード等を設定し、一組のリモコン送信機５とリモコン受信機９のみがペアとして操作可能となる設定、いわゆるペアリングを行った後に、実際の遠隔操作が行われるようになっている。
【００１０】
以上の構成において、室内からリモコン送信機５の、操作手段２の複数の操作キーのうち、例えば温度切換え等の操作キーを押圧操作すると、この後方のスイッチ接点の電気的接離が行われ、これを制御手段４が検出して、図６の信号構成図に示すように、温度切換え等の操作コードＡの後に、リモコン受信機９との間で設定した認証コードＢが付加されたリモコン信号が送信手段３から電波として送信される。
【００１１】
そして、これをリモコン受信機９の受信手段７が受信すると共に、制御手段８がこのリモコン信号の認証コードＢが設定されたものと同一であるか否かを判定し、一致した場合には、操作コードＡに応じた電子機器６の様々な操作、例えば給湯温度の切換え等が行われる。
【００１２】
なお、この時、受信した認証コードＢが設定されたものと異なる場合には、制御手段８がペアリングされたものとは別のリモコン送信機からのリモコン信号であると判定し、給湯温度の切換え等の遠隔操作は行われないようになっている。
【００１３】
つまり、最初に一組のリモコン送信機５とリモコン受信機９のペアリングを行い、上記のように所定の認証コードＢを設定して、各々の制御手段４と８が記憶した認証コードＢが同一である組み合わせのもののみが、遠隔操作可能なように設定することによって、リモコン信号に比較的遠方まで届く電波を用いた場合でも、他の機器が誤操作されることがないように構成されているものであった。
【００１４】
なお、この出願の発明に関連する先行技術文献情報としては、例えば、特許文献１が知られている。
【特許文献１】特開２００５−３２８２４４号公報
【発明の開示】
【発明が解決しようとする課題】
【００１５】
しかしながら、上記従来のリモコン送受信装置においては、一組のリモコン送信機５とリモコン受信機９をペアリングする際、万が一、他の機器と同じ認証コードＢを設定してしまうと、一つのリモコン送信機５から送信されたリモコン信号に対し、複数の機器が誤って遠隔操作されてしまう場合があるという課題があった。
【００１６】
本発明は、このような従来の課題を解決するものであり、誤操作がなく、確実な遠隔操作が可能なリモコン送受信装置を提供することを目的とする。
【課題を解決するための手段】
【００１７】
上記目的を達成するために本発明は、リモコン送信機の制御手段が、操作手段の操作に応じた操作コードを暗号コードに暗号化して、この暗号コードと暗号化内容を示す解析コードを送信し、リモコン受信機の制御手段が、これらの暗号コードと解析コードから操作コードを演算すると共に、リモコン送信機とリモコン受信機の制御手段を書換え可能に形成してリモコン送受信装置を構成したものであり、操作コードを暗号化して送受信を行うと共に、この暗号コードが書換え可能となっているため、異なるリモコン送信機や異なる機器が遠隔操作されるといった誤操作がなく、確実な遠隔操作が可能なリモコン送受信装置を得ることができるという作用を有するものである。
【発明の効果】
【００１８】
以上のように本発明によれば、誤操作がなく、確実な遠隔操作が可能なリモコン送受信装置を実現できるという有利な効果が得られる。
【発明を実施するための最良の形態】
【００１９】
以下、本発明の実施の形態について、図１〜図４を用いて説明する。
【００２０】
なお、背景技術の項で説明した構成と同一構成の部分には同一符号を付して、詳細な説明を簡略化する。
【００２１】
（実施の形態）
図１は本発明の一実施の形態によるリモコン送受信装置のブロック回路図、図２は同斜視図であり、同図において、１は略箱状でポリスチレンやＡＢＳ等の絶縁樹脂製のケースで、このケース１前面には、後方にスイッチ接点が設けられたゴムや絶縁樹脂製の複数の操作キー２Ａ等が、前後動可能に突出して操作手段２が形成されている。
【００２２】
そして、ケース１内には前後面に銅箔等によって複数の配線パターンが形成された、紙フェノールやガラス入りエポキシ等の配線基板（図示せず）が収納され、この配線基板に実装されたアンテナ等によって送信手段３や、マイコン等の電子部品によって、操作コード処理部１４Ａと暗号コード処理部１４Ｂから形成された制御手段１４が各々設けられると共に、ケース１裏面や側面等にコネクタ等の接続手段１５が形成されて、リモコン送信機１６が構成されている。
【００２３】
また、６は屋外に設置された給湯器等の電子機器で、この下方にはアンテナ等の受信手段７や、マイコン等の操作コード処理部１８Ａと暗号コード処理部１８Ｂから形成された制御手段１８が各々設けられた、リモコン受信機１９が収納されている。
【００２４】
さらに、このリモコン受信機１９の前面には、後方にスイッチ接点が形成された操作キー等の操作手段１０と、コネクタ等の接続手段２０が設けられ、このリモコン受信機１９とリモコン送信機１６によって、リモコン送受信装置が構成されている。
【００２５】
以上の構成において、室内からリモコン送信機１６の、操作手段２の複数の操作キーのうち、例えば温度切換え等の操作キーを押圧操作すると、この後方のスイッチ接点の電気的接離が行われ、これを制御手段１４が検出して、図３（ａ）の信号構成図に示すような、温度切換え用の０と１のビットから形成された、例えば「００１０」の操作コードＡを操作コード処理部１４Ａが算出する。
【００２６】
そして、この操作コードＡを暗号コード処理部１４Ｂが、図３（ｂ）に示すように、例えばビット０を１に、１を０に反転した「１１０１」の暗号コードＣに変換して暗号化すると共に、この暗号化した内容を示す、例えば「００」の解析コードＤを付加し、このリモコン信号が送信手段３から電波として送信される。
【００２７】
また、これをリモコン受信機１９の受信手段７が受信すると、制御手段１８が暗号コード処理部１８Ｂに記憶した「００」の解析コードＤから、受信した「１１０１」の暗号コードＣが、ビットの０と１が反転したものであることを検出すると共に、操作コード処理部１８Ａが「００１０」の操作コードＡを算出して、この操作コードＡによって電子機器６の様々な操作、例えば給湯温度の切換え等が行われる。
【００２８】
つまり、操作手段２の操作に応じた操作コードＡをそのまま送信するのではなく、リモコン送信機１６の制御手段１４がこれを暗号コードＣに暗号化すると共に、この暗号化内容を示す解析コードＤと共にリモコン信号として送信しているため、リモコン信号に赤外線等に比べ通信範囲が広く、比較的遠方まで届く電波を用いた場合でも、この電波によって他の機器が誤操作されることがないように構成されている。
【００２９】
すなわち、この暗号化された暗号コードＣによって遠隔操作されるのは、暗号コード処理部１８Ｂに解析コードＤを記憶し、制御手段１８が暗号コードＣを操作コードＡに変換することが可能な、リモコン受信機１９を備えた電子機器６だけであるため、万が一、電子機器６が他のリモコン送信機からのリモコン信号を受信したとしても、これによって電子機器６が誤って遠隔操作されることがないようになっている。
【００３０】
さらに、リモコン送信機１６とリモコン受信機１９にはコネクタ等の接続手段１５と２０が設けられているため、例えば、図４の斜視図に示すような書換装置２１を用いて、上記のような暗号化とは別の暗号化に、制御手段１４や１８を書換えることが可能なようになっている。
【００３１】
つまり、同図において、２２は略箱状で絶縁樹脂製のケースで、このケース２２上面には、下方にスイッチ接点が設けられた複数の操作キー２３Ａや２３Ｂが上下動可能に突出している。
【００３２】
また、ケース２２内には上下面に複数の配線パターンが形成された配線基板（図示せず）が収納され、この配線基板の上下面に実装されたマイコン等の電子部品によって、暗号化方法が記憶された記憶手段２４が形成されると共に、一端が配線基板に接続され、他端にコネクタ２５が装着されたケーブル２６がケース２２側面から延出して、書換装置２１が構成されている。
【００３３】
そして、先ず、この書換装置２１のコネクタ２５をリモコン送信機１６の接続手段１５に挿入して接続した後、書換え用の所定の操作キー、例えば操作キー２Ａを押圧操作すると、この後方のスイッチ接点の電気的接離が行われ、これを制御手段１４が検出して、リモコン送信機１６の暗号コード処理部１４Ｂが書換え可能な状態となる。
【００３４】
さらに、この後、書換装置２１の書換え用の所定の操作キー、例えば操作キー２３Ａを押圧操作すると、記憶手段２４からコネクタ２５やケーブル２６を介して、所定の暗号化方法のデータ、例えばビットの配列順を反転させる暗号化データがリモコン送信機１６に送られ、これを制御手段１４が暗号コード処理部１４Ｂに記憶させる。
【００３５】
また、この後、コネクタ２５をリモコン受信機１９の接続手段２０に接続し、操作手段１０を押圧操作して、暗号コード処理部１８Ｂを書換え可能な状態とした後、上記と同様の操作を行うことで、リモコン受信機１９の制御手段１８にもリモコン送信機１６と同じ暗号化データが記憶される。
【００３６】
そして、以上のように別の暗号化方法に書換えられたリモコン送信機１６の、例えば温度切換え等の操作手段２を押圧操作すると、これを制御手段１４が検出して、上述した場合と同様に、図３（ａ）に示すような、例えば「００１０」の操作コードＡを操作コード処理部１４Ａが算出する。
【００３７】
しかし、この後、暗号コード処理部１４Ｂの暗号化方法は、上述したビットの０と１を反転する暗号化方法から、ビットの配列順を反転させる暗号化方法に書換えられているため、図３（ｃ）に示すように、「００１０」を逆に配列した「０１００」の暗号コードＥに変換して暗号化が行われる。
【００３８】
さらに、制御手段１４がこの暗号コードＥに、暗号コード処理部１４Ｂに記憶された、ビットの配列順を反転させる暗号化方法であることを示す、例えば「０１」の解析コードＦを付加し、このリモコン信号が送信手段３から電波として送信される。
【００３９】
そして、これをリモコン受信機１９の受信手段７が受信すると、暗号コード処理部１８Ｂも暗号化方法が書換えられているため、制御手段１８が暗号コード処理部１８Ｂに記憶した「０１」の解析コードＦから、受信した「０１００」の暗号コードＥがビットの配列順を反転したものであることを検出し、操作コード処理部１８Ａが「００１０」の操作コードＡを算出して、この操作コードＡによって電子機器６の操作、例えば給湯温度の切換え等が行われる。
【００４０】
つまり、制御手段１４や１８の暗号コード処理部１４Ｂや１８Ｂを書換え可能に形成することによって、操作コードＡを暗号コードＣやＥ等の様々な暗号コードに暗号化して、リモコン送信機１６からリモコン信号の送信が行えると共に、これに付加された解析コードＤやＦ等から、リモコン受信機１９が操作コードＡを算出して、電子機器６の様々な遠隔操作が行われるように構成されている。
【００４１】
すなわち、制御手段１４や１８が操作手段２の操作に応じた操作コードＡを、暗号コードＣやＥ等に暗号化して送受信を行うと共に、この暗号コードが書換え可能となっているため、リモコン信号に通信範囲が広く比較的遠方まで届く電波を用いた場合でも、リモコン送信機１６で他の機器が遠隔操作されることや、他のリモコン送信機によって電子機器６が遠隔操作されるといった誤操作がなく、確実な遠隔操作が行えるようになっている。
【００４２】
なお、以上の説明では、書換装置２１をリモコン送信機１６とリモコン受信機１９に各々接続し、所定の操作を行うことによって制御手段１４や１８の、暗号コード処理部１４Ｂや１８Ｂを書換える構成について説明したが、書換装置２１を用いて制御手段１４のみを書換え、この後、リモコン送信機１６の所定の操作によって書換えた暗号化方法をリモコン受信機１９へ送信し、これによって制御手段１８を書換える構成としても、本発明の実施は可能である。
【００４３】
また、リモコン送信機１６とリモコン受信機１９の、接続手段１５と２０をコネクタではなく、例えばカード読取り装置とし、これに暗号化方法が記録されたメモリーカード等を装着した後、操作手段２や１０の所定の操作を行うことによって、暗号コード処理部１４Ｂや１８Ｂを書換える構成等、他の様々な構成によっても制御手段１４や１８の書換えを行うことができる。
【００４４】
このように本実施の形態によれば、リモコン送信機１６の制御手段１４が、操作手段２の操作に応じた操作コードを暗号コードに暗号化して、この暗号コードと暗号化内容を示す解析コードを送信し、リモコン受信機１９の制御手段１８が、これらの暗号コードと解析コードから操作コードを演算すると共に、これらの制御手段１４と１８を書換え可能に形成することによって、異なるリモコン送信機や異なる機器が遠隔操作されるといった誤操作がなく、確実な遠隔操作が可能なリモコン送受信装置を得ることができるものである。
【００４５】
なお、以上の説明では、構成を判り易くするために、リモコン送信機１６から４桁の暗号コードＣやＥ等に、２桁の解析コードＤやＦ等を付加したリモコン信号を送信する構成として説明したが、実際にはもっと多くの桁数のビット配列が用いられ、また、一般的にはこれらのコードに機器やモデル毎に決められた所定のヘッダコードや、使用前にペアリングによって設定された認証コード等が付加されて、送受信が行われている。
【００４６】
また、以上の説明では、リモコン送信機１６からリモコン受信機１９へ、一方向のみの送信を行う構成について説明したが、リモコン送信機１６に受信手段、リモコン受信機１９に送信手段を各々設け、これらによって互いに送受信を行う構成としても、本発明の実施は可能である。
【００４７】
さらに、遠隔操作する電子機器６として、屋外に設置された給湯器を例として説明したが、屋内の離れた場所や他の部屋に設置されたエアコンや、あるいはテレビやビデオ等を遠隔操作する構成としてもよい。
【産業上の利用可能性】
【００４８】
本発明によるリモコン送受信装置は、誤操作がなく、確実な遠隔操作が可能なものが得られ、主に各種電子機器の操作用として有用である。
【図面の簡単な説明】
【００４９】
【図１】本発明の一実施の形態によるリモコン送受信装置のブロック回路図
【図２】同斜視図
【図３】同信号構成図
【図４】同書換装置の斜視図
【図５】従来のリモコン送受信装置の斜視図
【図６】同信号構成図
【符号の説明】
【００５０】
１  ケース
２  操作手段
２Ａ、２Ｂ  操作キー
３  送信手段
６  電子機器
７  受信手段
１０  操作手段
１４  制御手段
１４Ａ  操作コード処理部
１４Ｂ  暗号コード処理部
１５  接続手段
１６  リモコン送信機
１８  制御手段
１８Ａ  操作コード処理部
１８Ｂ  暗号コード処理部
１９  リモコン受信機
２０  接続手段
２１  書換装置
２２  ケース
２３Ａ、２３Ｂ  操作キー
２４  記憶手段
２５  コネクタ
２６  ケーブル
【図１】
2010028702.tif 000003
【図２】
2010028702.tif 000004
【図３】
2010028702.tif 000005
【図４】
2010028702.tif 000006
【図５】
2010028702.tif 000007
【図６】
2010028702.tif 000008